(57)【要約】  負荷に動力供給するためのドライバ回路が開示される。ドライバ回路は、ＡＣ電源への接続を受け入れるための入力部と、入力部からのＡＣ電力をＤＣ電力に変換するための整流器とを含む。ドライバ回路はまた、電圧バスフィルタと、高周波ＡＣ信号を生成するための高周波発振器と、共振ドライバと、帰還回路と、高周波ＤＣ整流器とを含む。電圧バスフィルタは、整流器からのＤＣ電力を平滑化し、少なくとも１つのコンデンサを含む。共振ドライバは、高周波発振器と電気通信し、高周波ＡＣ信号の電流を制限し、高周波ＡＣ信号に基づいて限定出力電圧を生成する。帰還回路は、共振ドライバ及び電圧バスフィルタと電気通信し、電圧バスフィルタ上のコンデンサ上の電荷を維持する。【選択図】図１
2018505638.tif 000002
【特許請求の範囲】
【請求項１】
負荷に電力供給するためのドライバ回路であって、
ＡＣ電源への接続を受け入れるための入力部と、前記入力部からのＡＣ電力をＤＣ電力に変換するための整流器と、
少なくとも１つのコンデンサを含む、前記整流器からの前記ＤＣ電力を平滑化するための電圧バスフィルタと、
高周波ＡＣ信号を生成するための高周波発振器と、
前記高周波発振器と電気的に接続し、前記高周波ＡＣ信号の電流を制限し、前記高周波ＡＣ信号に基づいて限定出力電圧を生成する、共振ドライバと、
前記共振ドライバ及び前記電圧バスフィルタと電気的に接続し、前記電圧バスフィルタの少なくとも１つのコンデンサ上の電荷を維持する、帰還回路と、
前記共振ドライバと電気的に接続し、前記限定出力電圧を整流して、前記負荷に電力供給するための実質的に一定の電流を含むＤＣ出力電圧にする、高周波ＤＣ整流器と、
を備える、ドライバ回路。
【請求項２】
前記帰還回路は、前記電圧バスフィルタの前記少なくとも１つのコンデンサ上の前記電荷を維持する電荷ポンプとして作用するコンデンサを備える、請求項１に記載のドライバ回路。
【請求項３】
前記整流器は、４つのファストリカバリダイオードを含む高周波ブリッジ整流器である、請求項１に記載のドライバ回路。
【請求項４】
前記整流器の後ろに位置する２つのファストリカバリダイオードを更に備える、請求項１に記載のドライバ回路。
【請求項５】
前記整流器は、標準的なブリッジ整流器である、請求項４に記載のドライバ回路。
【請求項６】
前記帰還回路は、コンデンサを備え、前記コンデンサは、前記２つのファストリカバリダイオードの１つと並列に接続される、請求項４に記載のドライバ回路。
【請求項７】
前記整流器、前記電圧バスフィルタ、及び前記高周波ＤＣ整流器と電気的に接続する阻止コンデンサを備える、請求項１に記載のドライバ回路。
【請求項８】
前記阻止コンデンサは、前記高周波発振器によって生成された前記高周波ＡＣ信号が前記高周波ＤＣ整流器へ流れることを可能にし、かつ、前記高周波ＤＣ整流器によって生成された前記ＤＣ出力電圧が前記整流器へ逆流することを阻止する、請求項７に記載のドライバ回路。
【請求項９】
前記高周波発振器は、カスケード配列で接続された上部スイッチング素子及び下部スイッチング素子を含む、請求項１に記載のドライバ回路。
【請求項１０】
前記上部スイッチング素子及び前記下部スイッチング素子は、両方ともバイポーラ接合トランジスタ（ＢＪＴ）である、請求項９に記載のドライバ回路。
【請求項１１】
抵抗器、ダイオード、ダイアック、及びコンデンサを含む始動回路を備える、請求項１に記載のドライバ回路。
【請求項１２】
前記始動回路の前記コンデンサは、前記ドライバ回路の初期始動中に、前記ダイアックがブレークオーバ電圧に達するまで充電される、請求項１１に記載のドライバ回路。
【請求項１３】
第１の巻線、第２の巻線、及び第３の巻線を含む変圧器を備え、前記第１の巻線及び前記第２の巻線は、逆の極性を含む、請求項１に記載のドライバ回路。
【請求項１４】
前記共振ドライバ回路は、コンデンサ及びインダクタを含み、前記コンデンサは、前記変圧器の前記第３の巻線と直列接続し、前記インダクタのインダクタンス及び前記コンデンサのキャパシタンスは、動作周波数が減少するにつれて前記ドライバ回路の全利得もまた減少するように選択される、請求項１３に記載のドライバ回路。
【請求項１５】
非調光型用途において少なくとも１つの発光ダイオード（ＬＥＤ）に電力供給するためのドライバ回路であって、
ＡＣ電源への接続を受け入れるための入力部と、前記入力部からのＡＣ電力をＤＣ電力に変換するための整流器と、
少なくとも１つのコンデンサを含む、前記整流器からの前記ＤＣ電力を平滑化するための電圧バスフィルタと、
高周波ＡＣ信号を生成するための高周波発振器と、
前記高周波発振器と電気的に接続し、前記高周波ＡＣ信号の電流を制限し、前記高周波ＡＣ信号に基づいて限定出力電圧を生成する、共振ドライバと、
前記共振ドライバ及び前記電圧バスフィルタと電気的に接続し、前記電圧バスフィルタの前記少なくとも１つのコンデンサ上の電荷を維持する電荷ポンプとして作用するコンデンサを備える、帰還回路と、
前記共振ドライバと電気的に接続し、前記限定出力電圧を整流して、前記ＬＥＤに電力供給するための実質的に一定の電流を含むＤＣ出力電圧にする、高周波ＤＣ整流器と、
を備える、ドライバ回路。
【請求項１６】
前記整流器は、４つのファストリカバリダイオードを含む高周波ブリッジ整流器である、請求項１５に記載のドライバ回路。
【請求項１７】
前記整流器の後ろに位置する２つのファストリカバリダイオードを更に備える、請求項１５に記載のドライバ回路。
【請求項１８】
前記整流器は、標準的なブリッジ整流器である、請求項１７に記載のドライバ回路。
【請求項１９】
前記帰還回路は、コンデンサを備え、前記コンデンサは、前記２つのファストリカバリダイオードの１つと並列に接続される、請求項１７に記載のドライバ回路。
【請求項２０】
前記整流器、前記電圧バスフィルタ、及び前記高周波ＤＣ整流器と電気的に接続する阻止コンデンサを備える、請求項１５に記載のドライバ回路。
【発明の詳細な説明】
【技術分野】
【０００１】
本発明は、一般に、負荷に電力供給するためのドライバ回路(driver circuit)に関し、より具体的には、電圧バスフィルタ(voltage bus filter)上の電荷を維持するための帰還回路(feedback circuit)を含む、改善された力率（ＰＦ）を有するドライバ回路に関する。
【背景技術】
【０００２】
発光ダイオード（ＬＥＤ）ベースの照明システムは、例えば白熱灯又は蛍光灯照明のような他の型式の照明システムに優る幾つかのエネルギー的な利点及び信頼性の利点を提供することができる。したがって、ＬＥＤベースの照明システムは、他の既存の照明技術に置き換わる魅力的な候補となり得る。
【０００３】
歴史的に見て、白熱灯電球は、ほぼ完全な力率（ＰＦ）を有していた。換言すれば、白熱電球は、典型的には約１のＰＦを有する。比較的低いＰＦを有する電気デバイスは、商用電力とも呼ばれる電力会社からの余分な電力を必要とすることが当業者には容易に認識されるであろう。したがって、ＬＥＤベースの照明システムには、高力率の解決策が望ましい。特に、米国政府によって普及されている特定のタイプのエネルギー認証（例えば、ＥＮＥＲＧＹ  ＳＴＡＲ（登録商標）認証）を得るためには、ＬＥＤベースの照明器具は、少なくとも０．７のＰＦを有することが特に望ましい場合がある。なぜなら、照明製品の潜在的な消費者の中には、ＬＥＤ照明器具が１又は２以上の特定のタイプのエネルギー認証を得ているか否かに基づいて購買の決定を行う者もいるからである。さらに、ＬＥＤ照明器具用の比較的低コストで信頼性の高いドライバに対する継続的な要求が当該分野に存することもまた、当業者には認識されるであろう。
【発明の概要】
【０００４】
１つの実施形態において、負荷に動力供給するためのドライバ回路が開示される。ドライバ回路は、ＡＣ電源への接続を受け入れるための入力部と、入力部からのＡＣ電力をＤＣ電力に変換するための整流器とを含む。ドライバ回路はまた、電圧バスフィルタと、高周波ＡＣ信号を生成するための高周波発振器(high-frequency oscillator)と、共振ドライバと、帰還回路と、高周波ＤＣ整流器とを含む。電圧バスフィルタは、整流器からのＤＣ電力を平滑化し、少なくとも１つのコンデンサを含む。共振ドライバは、高周波発振器と電気的に接続し、高周波ＡＣ信号の電流を制限し、高周波ＡＣ信号に基づいて限定出力電圧を生成する。帰還回路は、共振ドライバ及び電圧バスフィルタと電気的に接続し、電圧バスフィルタ上のコンデンサ上の電荷を維持する。高周波ＤＣ整流器は、共振ドライバと電気的に接続し、限定出力電圧を整流して、負荷に電力供給するための実質的に一定の電流を含むＤＣ出力電圧にする。
【０００５】
別の実施形態において、非調光型用途(non-dimming application)において少なくとも１つの発光ダイオード（ＬＥＤ）に電力供給するためのドライバ回路が開示される。ドライバ回路は、ＡＣ電源への接続を受け入れるための入力部と、入力部からのＡＣ電力をＤＣ電力に変換するための整流器とを含む。ドライバ回路はまた、電圧バスフィルタと、高周波ＡＣ信号を生成するための高周波発振器と、共振ドライバと、帰還回路と、高周波ＤＣ整流器とを含む。電圧バスフィルタは、整流器からのＤＣ電力を平滑化し、少なくとも１つのコンデンサを含む。共振ドライバは、高周波発振器と電気的に接続し、高周波ＡＣ信号の電流を制限し、高周波ＡＣ信号に基づいて限定出力電圧を生成する。帰還回路は、共振ドライバ及び電圧バスフィルタと電気的に接続する。帰還回路は、電圧バスフィルタの少なくとも１つのコンデンサ上の電荷を維持する電荷ポンプ(charge pump)として作用するコンデンサを備える。高周波ＤＣ整流器は、共振ドライバと電気的に接続し、限定出力電圧を整流して、ＬＥＤに電力供給するための実質的に一定の電流を含むＤＣ出力電圧にする。
【図面の簡単な説明】
【０００６】
【図１】負荷にＤＣ電流を供給するための、改善された力率（ＰＦ）を有する回路の例示的なブロック図である。
【図２】整流器がファストリカバリダイオード(fast recovery diode)を含む、図１に示す回路の例示的な回路図である。
【図３】図１及び図２に示す回路の入力部における例示的なＡＣ波形、並びに該回路の電圧バスフィルタにおいて測定した整流入力電圧の図である。
【図４】図１及び図２に示す共振ドライバの共振曲線及び動作点の図である。
【図５】整流器がファストリカバリダイオードを含まない、図２に示す回路図の代替的な実施形態である。
【図６】阻止コンデンサ(blocking capacitor)の位置が変更された、図５に示す回路図の別の実施形態である。
【発明を実施するための形態】
【０００７】
以下の詳細な説明は、本発明の一般的な原理を示すものであり、その実施例は、添付の図面に付加的に示されている。図中、同様の数字は、同一又は機能的に類似の要素を示す。
【０００８】
図１は、負荷１８にＤＣ電流を供給するための回路１０の例示的なブロック図である。ドライバ回路１０は、例えば、公称１２０ボルトＡＣの主電力線などのＡＣ電源（図示せず）への接続のための、一対の電力入力線２０を含むことができる。ドライバ回路１０はまた、抵抗器Ｒ１（図２に示す）、電磁干渉（ＥＭＩ）フィルタ２４、整流器２６、電圧バスフィルタ２７、始動回路２８、スイッチ３０、変圧器３２、スイッチ３４、帰還回路３５、共振ドライバ回路３６、高周波ＤＣ整流器４０、及び阻止コンデンサ４６を含むことができる。より詳細に後述するように、回路１０は、比較的高い力率（ＰＦ）を維持する一方で、実質的に一定のＤＣ電流を負荷１８に供給する。１つの実施形態において、回路１０は、少なくとも０．７のＰＦを伴うことができる。
【０００９】
図１〜図２を参照すると、ドライバ回路１０の入力線２０は、ＥＭＩフィルタ２４と電気的に接続することができる。１つの非限定的な実施形態において、ＥＭＩフィルタ２４は、インダクタＬ１並びにコンデンサＣ１及びＣ２（図２に示す）を含むことができる。整流器２６は、ＥＭＩフィルタ２４と電気的に接続することができ、ＥＭＩフィルタ２４からの入力ＡＣ電力をパルス状のＤＣ電力に変換するように構成される。図２に示すような実施形態において、整流器２６は、４つのファストリカバリダイオードＤ１、Ｄ２、Ｄ３、Ｄ４を含む高周波ブリッジ整流器である。１つの実施形態において、ファストリカバリダイオードＤ１〜Ｄ４は、約１５０ｎｓ未満の応答時間を有するものとすることができるが、しかしながら、このパラメータは事実上単なる例示であり、他のタイプのファストリカバリダイオードもまた使用することができることを理解されたい。
【００１０】
整流器２６の出力は、電圧バスフィルタ２７と電気的に接続することができる。図２に示すような例示的な実施形態において、電圧バスフィルタ２７は、コンデンサＣ３を含むことができる。コンデンサＣ３は、平滑コンデンサとして作用する電解コンデンサとすることができることを、当業者は容易に認識するであろう。詳細には、コンデンサＣ３を用いて、整流器２６によって供給されるＤＣ電力を平滑化する、すなわちリップルの量を減らすことができ、その結果、比較的定常なＤＣ電力が、回路１０内の残りの構成要素（すなわち、始動回路２８、スイッチ３０、変圧器３２、スイッチ３４、共振ドライバ回路３６、及び高周波ＤＣ整流器４０）に供給されることができるようになっている。より詳細に後述するように、帰還回路３５を用いて、コンデンサＣ３上に電荷を生じさせることができる。コンデンサＣ３上の電荷を維持することで、整流器２６によって供給されるＤＣ電力がさらに平滑化され、このことが回路１０のＰＦを改善することにつながる。
【００１１】
引き続き図１及び図２を参照すると、電圧バスフィルタ２７は、始動回路２８と電気的に接続することができる。始動回路２８は、抵抗器Ｒ２及びＲ３、ダイオードＤ６、ダイアック(diac)Ｄ７、並びにコンデンサＣ６を含むことができる。ダイアックＤ７は、ブレークオーバ電圧ＶBOに達した後にのみ電流を導通するダイオードである。回路１０の初期始動中、ダイアックＤ７がブレークオーバ電圧ＶBOに達するまでコンデンサＣ６を充電することができる。ひとたびブレークオーバ電圧に達すると、ダイアックＤ７は、電流の導通を開始することができる。詳細には、ダイアックＤ７は、スイッチ３０に接続することができ、これに電流を送る。ひとたびダイアックＤ７がブレークオーバ電圧ＶBOに到達すると、ダイオードＤ６を用いて、コンデンサＣ６を放電し、ダイアックＤ７が再び点弧（ｆｉｒｉｎｇ）することを防止することができる。
【００１２】
図２に示すように、回路１０は、カスケード配列で接続された下部スイッチ３０（Ｑ２と表示）及び上部スイッチ３４（Ｑ１と表示）を含むことができる。図１及び図２の両方を参照すると、抵抗器Ｒ３を用いて、下部スイッチング素子Ｑ２にバイアスをかけることができる。図２に示すような実施形態において、スイッチング素子Ｑ２は、バイポーラ接合トランジスタ(bipolar junction transistor)（ＢＪＴ）である。ＢＪＴは、スイッチング用に用いられる比較的安価で費用対効果が高い構成要素であり得るが、他のタイプのスイッチング素子も同様に用いることができることを当業者は認識するであろう。ダイオードＤ１０を設けて、スイッチング素子Ｑ２のベースＢとエミッタＥとの間の負電圧を制限することができ、このことが効率を高めることにつながる。
【００１３】
スイッチ３０は、変圧器３２に接続することができる。図２に示すように、実施形態において、変圧器３２は、Ｔ１Ａ、Ｔ１Ｂ及びＴ１Ｃの３つの巻線を含む。巻線Ｔ１Ａは、巻線Ｔ１Ｂと比べて逆極性を含むことができる。これは、スイッチング素子Ｑ２がオンになった際に、もう一方のスイッチング素子Ｑ１が同時にオンになることがないことを保証する。
【００１４】
図１〜図２を参照すると、両方のスイッチ３０、３２、ダイオードＤ９、Ｄ１０、抵抗器Ｒ５及びＲ６、並びに変圧器３２が、高周波発振器５０を定める。高周波発振器５０は、高周波ＡＣ信号ＶIN（図１に示す）を生成する。１つの実施形態において、高周波ＡＣ信号ＶINは、少なくとも約４０キロヘルツ（ｋＨｚ）の周波数を有するＡＣ信号とすることができる。高周波発振器５０の出力４２（図１に示す）は、共振ドライバ回路３６と電気的に接続することができる。
【００１５】
図２を参照すると、上部スイッチング素子Ｑ１もまた、ＢＪＴとすることができる。ダイオードＤ９を設けて、スイッチング素子Ｑ１のベースＢとエミッタＥとの間の負電圧を制限することができ、このことが効率を高めることにつながる。スイッチ３４は、高周波発振器５０を共振ドライブ回路３６に電気的に接続する。図２に示す実施形態において、共振ドライブ回路３６は、変圧器３２の巻線Ｔ１Ｃに直接接続されたコンデンサＣ７を含むことができる。共振ドライブ回路３６はまた、インダクタＬ２を含むこともできる。共振ドライブ回路３６を用いて、高周波発振器５０から受け取る高周波ＡＣ信号ＶINの電流を制限することができる。共振ドライブ回路３６はまた、高周波ＡＣ信号ＶINに基づいて、限定出力電圧ＶLIMITED（図１に示す）を生成する。
【００１６】
共振ドライバ回路３６は、高周波ＤＣ整流器４０と電気的に接続することができる。共振ドライバ３６によって生成された限定出力電圧ＶLIMITEDは、高周波ＤＣ整流器４０に送られ、整流されてＤＣ出力電圧ＶDC（図１に示す）になる。ＤＣ出力電圧ＶDCは、負荷１８に供給される実質的に一定の電流を含む。図２に示すような実施形態において、高周波ＤＣ整流器４０は、４つのダイオードＤ１１〜Ｄ１４及びフィルタコンデンサＣ８含む全波整流器である。全波整流器は、フィルタコンデンサＣ８と並列に接続することができる。１つの実施形態において、ダイオードＤ１１〜Ｄ１４は、低電圧ダイオードとすることができる。全波整流器４０は、共振回路３６からの限定出力電圧ＶLIMITEDの周波数を２倍にするので、したがってフィルタコンデンサＣ８は比較的小さいサイズのものとすることができることを理解されたい。例えば、１つの実施形態において、フィルタコンデンサＣ８は、１マイクロファラド未満とすることができる。
【００１７】
引き続き図１〜図２を参照すると、阻止コンデンサ４６は、コンデンサＣ４を含むことができる。コンデンサＣ４は、整流器２６、電圧バスフィルタ２７、及び高周波ＤＣ整流器４０と的に接続する。コンデンサＣ４は、インピーダンス整合のため、及びＤＣ電流の阻止のために用いることができる。詳細には、コンデンサＣ４は、高周波発振器によって生成された高周波ＡＣ信号ＶIN（図１に示す）が高周波ＤＣ整流器４０へ流れることを可能にする。コンデンサＣ４はまた、回路１０の右側に位置する高周波ＤＣ整流器４０によって生成されたＤＣ出力電圧ＶDCが整流器２６へ逆流することを阻止する。図２に示すような実施形態において、阻止コンデンサＣ４は、整流器２６と高周波ＤＣ整流器４０との間に位置する。しかしながら、代替的な実施形態において、阻止コンデンサ４６は、スイッチ３０のエミッタＥに接続することができる。
【００１８】
帰還回路３５は、ＥＭＩフィルタ２４と整流器２６との間で回路１０に接続することができる。帰還回路３５は、高周波ＤＣ整流器４０にも接続することができる。帰還回路３５は、コンデンサＣ５を含み、これは電圧バスフィルタ２７のコンデンサＣ３上の電荷を維持する電荷ポンプとして作用し、このことが回路１０のＰＦを高めることにつながる。ここで図３を参照すると、回路１０の入力部２０が受け取るＡＣ波形Ａの例示的な図を示す。図３はまた、整流器２４の後ろで電圧バスフィルタ２７のコンデンサＣ３において測定される、回路１０の整流入力電圧ＶRECもまた示す。整流入力電圧ＶRECは、回路１０の入力部２０が受け取ったＡＣ波形に基づく。
【００１９】
図２及び図３を参照すると、整流入力電圧ＶRECは、リップルＲを含む。整流入力電圧ＶRECのリップルＲの振幅は、電圧バスフィルタ２７のコンデンサＣ３上の電荷を維持する帰還回路３５により小さくすることができる。換言すれば、コンデンサＣ３上の電荷を維持することは、回路１０の入力部２０におけるＡＣ波形Ａの各半周期を通して、整流入力電圧ＶREC内のリップルの量をさらに平滑化し又は低減することにつながる（ＡＣ波形Ａの半周期は図３で表示されている）。さらに、コンデンサＣ３上の電荷を維持することはまた、回路１０の入力部２０における電流の導通時間の増大をもたらすことになる。したがって、帰還回路３５は、回路１０の全ＰＦを改善することができる。例えば、１つの実施形態において、回路１０の全ＰＦは、少なくとも０．７とすることができる。
【００２０】
図２に戻ると、１つの実施形態において、負荷１８は、１つ又はそれ以上の発光ダイオード（ＬＥＤ）とすることができる。例えば、図２〜図６に示す実施形態において、回路１０は、ＬＥＤ（図示せず）に接続される一対の出力端子４４を含むことができる。説明され、図面に示された実施形態において、ドライバ回路１０は、調光不可型ＬＥＤ用途に用いられる。ＬＥＤが説明されているが、負荷１８は、動作時に実質的に一定の電流を必要とするあらゆるタイプのデバイスとすることができることを理解されたい。例えば、代替的な実施形態において、負荷１８は、加熱要素とすることができる。
【００２１】
図４は、図２に示す共振ドライブ回路３６の例示的な共振曲線の図である。共振曲線は、動作点Ｏ及び共振臨界周波数ｆ0を含むことができる。臨界周波数ｆ0は、共振曲線のピークに位置し、動作点Ｏは、臨界周波数ｆ0の左側に位置する。図２及び図４を参照すると、共振ドライバ３６のコンデンサＣ７のキャパシタンス又はインダクタＬ２のインダクタンスを増大させると、臨界周波数ｆ0を左にシフトさせることができ、コンデンサＣ７のキャパシタンス又はインダクタＬ２のインダクタンスの減少は、臨界周波数ｆ0を右にシフトさせることができる。共振曲線の発振周波数は、変換器３２の巻き線Ｔ１Ｃ、抵抗器Ｒ５及びＲ６、上部スイッチング素子Ｑ１及び下部スイッチング素子Ｑ２によって決定することができる。特に、共振曲線の発振周波数は、変換器３２の巻き線Ｔ１Ｃの巻き数、並びに上部スイッチング素子Ｑ１及び下部スイッチング素子Ｑ２の蓄積時間に基づくものとすることができる。
【００２２】
インダクタＬ２のインダクタンス並びにコンデンサＣ４及びＣ７のキャパシタンスは、回路１０の許容可能な電源変動率を維持する際の重要な因子となり得る。詳細には、線間電圧が高まるにつれ、回路１０の動作周波数は低減する。さらに、インダクタＬ２のインピーダンスは、動作周波数が低減するにつれて低減する場合があり、それにより負荷１８（図１）に送り出される電流の増大が生じる。したがって、インダクタＬ２のインダクタンス並びにコンデンサＣ７及びコンデンサＣ４のキャパシタンスは、動作周波数が低減するにつれて回路１０の全利得が低減するように選択することができる。このことは、線間電圧が高まるにつれて負荷１８に送り出される電流が増大することを実質的に低減し又は最小化することができることにつながる。
【００２３】
図５は、代替的な回路１００の図である。回路１００は、図２に示す回路１０と同様の構成要素を含む。しかしながら、回路１００はまた、整流器２６の後ろに位置する２つの付加的なダイオードＤ１５及びＤ１６も含む。図５に示すような実施形態において、ダイオードＤ１５、Ｄ１６は、ファストリカバリダイオードである。ダイオードＤ１５は、整流器２６とダイオードＤ１６との間に配置することができる。ダイオードＤ１６は、ダイオードＤ１５と高周波ＤＣ整流器４０との間に配置することができる。回路１００は、ファストリカバリダイオードＤ１５及びＤ１６を含むので、整流器２６のダイオードＤ１〜Ｄ４は、必ずしもファストリカバリダイオードである必要はない。換言すれば、整流器２６は、標準的なブリッジ整流器である。したがって、図５に示す回路１００は、図１０に示す回路１０と比べて、ファストリカバリダイオードの数を結果として減らすことができる。
【００２４】
図６は、回路２００のさらに別の実施形態である。回路２００は、図５に示す回路１００と同様の構成要素を含む。しかしながら、阻止コンデンサＣ４の位置が変更されている。詳細には、阻止コンデンサＣ４は、ここではダイオードＤ１５と共振ドライバ回路３６との間に接続することができる。また、帰還回路３５のコンデンサＣ５の位置も変更されている。詳細には、コンデンサＣ５は、ここではダイオードＤ１６と並列に配置されている。しかしながら、コンデンサＣ５は、依然として、電圧バスフィルタ２７のコンデンサＣ３上の電荷を維持するための電荷ポンプとして作用する。付加的なコンデンサＣ１１が回路２００に追加されており、これは電圧バスフィルタ２７のコンデンサＣ３と並列である。コンデンサＣ１１は、分割器として作用する。
【００２５】
図１〜図６に示した上述のような開示された回路は、負荷を駆動するための比較的低コストで効率的な手法を提供すると同時に、比較的高いＰＦ（すなわち０．７を超える）を提供する。特に、開示された回路は、ＬＥＤ照明器具にコスト及び複雑さを加える能動回路を必要とすることなく、比較的高いＰＦを提供する。さらに、開示された回路は、実質的に一定の電流を負荷に送り出すための比較的低コストで効率的な手法も提供する。開示された回路は、今日の市場で現在入手可能なＬＥＤドライバの幾つかのタイプと比べて、より少ない構成要素及びより簡単な設計をもたらすことが当業者には容易に認識されるであろう。
【００２６】
本明細書において説明された装置及び方法の形態は、本発明の好ましい実施形態を構成するが、本発明は、これらの装置及び方法のそのままの形態に限定されず、本発明の範囲から逸脱することなくそれらにおける変更を行うことができることを理解されたい。
【符号の説明】
【００２７】
１０：ドライバ回路
１８：負荷
２０：入力部
２４：電磁干渉フィルタ
２６：整流器
２７：電圧バスフィルタ
２８：始動回路
３０、３４：スイッチ
３２：変圧器
３５：帰還回路
３６：共振ドライバ回路
４０：高周波ＤＣ整流器
４６：阻止コンデンサ
ＶDC：ＤＣ出力電圧
ＶIN：高周波ＡＣ信号
ＶLIMITED：限定出力電圧
【図１】
2018505638.tif 000003
【図２】
2018505638.tif 000004
【図３】
2018505638.tif 000005
【図４】
2018505638.tif 000006
【図５】
2018505638.tif 000007
【図６】
2018505638.tif 000008
【国際調査報告】
2018505638.tif 000009
2018505638.tif 000010